(57)【要約】【課題】複数の受雷部の気温変化による伸縮の吸収力を向上し、簡単に取り付けることのできる伸縮端子を提供する。【解決手段】相互に接続しようとするアルミ受雷部４００の一端のリップ溝形状断面４００ｂ内に挿入されて該受雷部４００の一端とネジ部材２００を用いて接続固定される継手部１０１と、アルミ導線３００を圧着固定する導線取付部１０３とを有する、２つのＩ型接続端子部１００と、その接続端子部の間をアルミ導線３００で連結するようにした。このとき、アルミ導線３００は実長が２８０ｍｍの２ミリの導線を複数束ねてなるものであり、５０ｍｍの余長を持つように上記接続端子部間を連結する。【選択図】      図５
2004265791.tif 000002
【特許請求の範囲】
【請求項１】
雷撃を受け止める、略コ字状断面を有する長尺状の複数の受雷部の間に設置され、該複数の受雷部の気温変化による伸縮を吸収する伸縮端子であって、
該伸縮端子は、２つの接続端子部と、該接続端子部の間を導線で連結されてなるものであり、
上記各接続端子部は、相互に接続しようとする上記受雷部の一端の略コ字状断面内に挿入されて該受雷部の一端と接続固定される継手部と、上記導線を圧着固定する導線取付部とを有するものである、
ことを特徴とする伸縮端子。
【請求項２】
請求項１に記載の伸縮端子において、
上記各接続端子部は、上記継手部を１つ有するＩ型接続端子部である、
ことを特徴とする伸縮端子。
【請求項３】
請求項１に記載の伸縮端子において、
上記各接続端子部は、上記継手部を２つ有するＴ型接続端子部である、
ことを特徴とする伸縮端子。
【請求項４】
請求項１に記載の伸縮端子において、
上記２つの接続端子部のうち、第１の接続端子部は、上記継手部を１つ有するＩ型接続端子部であり、
第２の接続端子部は、上記継手部を２つ有するＴ型接続端子部である、
ことを特徴とする伸縮端子。
【請求項５】
雷撃を受け止める、略コ字状断面を有する長尺状の複数の受雷部の間に設置され、該複数の受雷部の気温変化による伸縮を吸収する伸縮端子であって、
該伸縮端子は、３つの接続端子部と、該接続端子部の間を導線で連結されてなるものであり、
上記各接続端子部は、相互に接続しようとする上記受雷部の一端の略コ字状断面内に挿入されて該受雷部の一端と接続固定される複数の継手部と、上記導線を圧着固定する導線取付部とを有するものである、
ことを特徴とする伸縮端子。
【請求項６】
請求項５に記載の伸縮端子において、
上記３つの接続端子部のうち、第１の接続端子部は、上記継手部を４つ有する十字型接続端子部であり、
第２及び第３の接続端子部は、上記継手部を１つ有するＩ型接続端子部、または上記継手部を２つのＴ型接続端子部、のいずれかである、
ことを特徴とする伸縮端子。
【請求項７】
請求項１ないし請求項６のいずれか１項に記載の伸縮端子において、
該伸縮端子部は、アルミニウム材の表面をアルマイト加工されてなるものである、
ことを特徴とする伸縮端子。
【発明の詳細な説明】
【０００１】
【発明の属する技術分野】
本発明は、建造物等を雷撃から保護するための雷保護システムに関するものであり、特に、雷撃を受け止めるための受雷部の気温変化による伸縮を吸収する伸縮端子に関するものである。
【０００２】
【従来の技術】
建造物の屋上に設置される雷保護システムとは、雷撃を受け止めるための突針、及び該突針と電気的に接続される複数の受雷部を、その各々の間をそれぞれ接続端子を介して接続して、建造物上に設置し、その建造物を落雷から保護するものである。
【０００３】
従来の雷保護システムは、雷撃を受け止めるための突針、及び該突針と電気的に接続される複数の受雷部を、その各々の間をそれぞれ接続端子を用いて接続して建造物上に設置し、その建造物を落雷から保護するものである。また、雷保護システムは屋外に設置されるため、受雷部が気温変化により伸縮し、はずれる可能性がある。そこで、コーナー部分や直線部分の所定箇所に伸縮端子を設置することにより、上記複数の受雷部の気温変化による伸縮を吸収している。伸縮端子は、受雷部を接続する２つの接続端子部と、該接続端子間を連結する導線とを備えた構成である。
【０００４】
以下に、従来の伸縮端子について図８及び図９を用いて説明する。図８（ａ）は伸縮二端子にアルミ導帯４を取り付けたときの平面図であり、図８（ｂ）は正面図である。図９（ａ）は伸縮三端子の平面図、図９（ｂ）は正面図である。ここでは、雷撃を受け止める受雷部としてアルミ導帯を用い、このアルミ導帯はその相互間を接続端子を用いて複数接続されて建造物上に設置され、該建造物を落雷から保護するものである。また、該アルミ導帯の大きさは、その横幅が２５ｍｍ、その長さが４ｍ、その高さが４ｍｍ、その断面積が１００ｍｍ２の直方体である。
【０００５】
伸縮二端子は、図８に示すように、ボルト（ワッシャ付き）２ｂとナット（ワッシャ、スプリングワッシャ付き）２ａよりなるネジ部材２を用いてアルミ導帯４を接続固定する第１、第２の接続端子部１ａ、１ｂを備えたものであり、第１の接続端子部１ａと第２の接続端子部１ｂとの間は編組アルミ線３により連結されてなるものである。また、伸縮三端子は、図９に示すように、３つの接続端子部１ａ、１ｂ、１ｄを備え、各接続端子部間を編組アルミ線３により連結されてなるものである。このような伸縮端子は、支持金具（図示せず）を用いて所定位置に設置される。
【０００６】
なお、編組アルミ線３は、実長が２５０ｍｍであるが、３０ｍｍの余長を持つように上記各接続端子部の間を連結するものである。また、該編組アルミ線３は、各接続端子部の所定の取付口に挿入されて止めネジ１ｃにより固定され、さらに半田ロー付けされる。また、上記アルミ導帯４の材質はアルミニウムであり、接続端子部（１ａ、１ｂ、１ｄ）、止めネジ１ｃ、ネジ部材２の材質は耐食アルミ合金である。
【０００７】
このような伸縮端子を２１ｍ間隔で取り付けることにより、気温の変化（−４０℃〜８０℃の範囲内）による複数のアルミ導帯４の伸縮を吸収することができる。
【０００８】
【発明が解決しようとする課題】
しかしながら、上記従来の伸縮端子は、ビスなどのネジ部材を用いて編組アルミ線を接続固定しているが、何らかの外部からの衝撃や、温度変化による導線の伸縮などにより導線の接続固定がはずれてしまうおそれがある。そのため、止めネジを用いて接続固定した後に編組アルミ線の取付口に対し半田ロー付けを行うようにしているが、これは手間がかかるだけでなく、高所で作業する場合は危険を伴う。さらに、編組アルミ線はとても細いため、カラスに食べられたりするなどの問題がある。
本発明は、上記問題点を解決するためになされたものであり、簡単に設置可能で、かつ、長期間使用することができる伸縮端子を提供することを目的とする。
【０００９】
【課題を解決するための手段】
上記課題を解決するために、本発明の請求項１にかかる伸縮端子は、雷撃を受け止める、略コ字状断面を有する長尺状の複数の受雷部の間に設置され、該複数の受雷部の気温変化による伸縮を吸収する伸縮端子であって、該伸縮端子は、２つの接続端子部と、該接続端子部の間を導線で連結されてなるものであり、上記各接続端子部は、相互に接続しようとする上記受雷部の一端の略コ字状断面内に挿入されて該受雷部の一端と接続固定される継手部と、上記導線を圧着固定する導線取付部とを有するものである、ことを特徴とするものである。
【００１０】
これにより、従来のように止めネジを用いて導線を取り付けたり、導線を取付た後に半田ロー付けを行ったりする必要がなくなり、現場で簡単に伸縮端子を取り付けることができ、作業者の手間を大幅に省くことができる。
【００１１】
また、本発明の請求項２にかかる伸縮端子は、請求項１に記載の伸縮端子において、上記各接続端子部は、上記継手部を１つ有するＩ型接続端子部である、ことを特徴とするものである。
これにより、建造物の直線状において複数の受雷部の気温変化による伸縮を吸収することができる。
【００１２】
また、本発明の請求項３にかかる伸縮端子は、請求項１に記載の伸縮端子において、上記各接続端子部は、上記継手部を２つ有するＴ型接続端子部である、ことを特徴とするものである。
これにより、複数の受雷部の気温変化による伸縮を吸収することができる。
【００１３】
また、本発明の請求項４にかかる伸縮端子は、請求項１に記載の伸縮端子において、上記２つの接続端子部のうち、第１の接続端子部は、上記継手部を１つ有するＩ型接続端子部であり、第２の接続端子部は、上記継手部を２つ有するＴ型接続端子部である、ことを特徴とするものである。
これにより、複数の受雷部の気温変化による伸縮を吸収することができる。
【００１４】
また、本発明の請求項５にかかる伸縮端子は、雷撃を受け止める、略コ字状断面を有する長尺状の複数の受雷部の間に設置され、該複数の受雷部の気温変化による伸縮を吸収する伸縮端子であって、該伸縮端子は、３つの接続端子部と、該接続端子部の間を導線で連結されてなるものであり、上記各接続端子部は、相互に接続しようとする上記受雷部の一端の略コ字状断面内に挿入されて該受雷部の一端と接続固定される複数の継手部と、上記導線を圧着固定する導線取付部とを有するものである、ことを特徴とするものである。
これにより、従来のように止めネジを用いて導線を取り付けたり、導線を取付た後に半田ロー付けを行ったりする必要がなくなり、現場で簡単に伸縮端子を取り付けることができ、作業者の手間を大幅に省くことができる。
【００１５】
また、本発明の請求項６にかかる伸縮端子は、請求項５に記載の伸縮端子において、上記３つの接続端子部のうち、第１の接続端子部は、上記継手部を４つ有する十字型接続端子部であり、第２及び第３の接続端子部は、上記継手部を１つ有するＩ型接続端子部、または上記継手部を２つ有するＴ型接続端子部、のいずれかである、ことを特徴とするものである。
これにより、複数の受雷部の気温変化による伸縮を吸収することができる。
【００１６】
また、本発明の請求項７にかかる伸縮端子は、請求項１ないし請求項６に記載の伸縮端子において、該伸縮端子部は、アルミニウム材の表面をアルマイト加工されてなるものである、ことを特徴とするものである。
これにより、伸縮端子の耐食性、及び表面の剛性を大きく向上させることができる。
【００１７】
【発明の実施の形態】
以下、本発明の実施の形態について図面を参照しながら説明する。なお、ここで示す実施の形態はあくまでも一例であって、必ずしもこの実施の形態に限定されるものではない。
【００１８】
（実施の形態１）
以下に、本実施の形態１による雷保護システムの伸縮端子について説明する。
まず、伸縮端子の構成部材について図１〜図３を用いて説明する。
【００１９】
図１は、Ｉ型接続端子部を示す図である。図１（ａ）はＩ型接続端子部の平面図、図１（ｂ）は正面図、図１（ｃ）は左側面図、図１（ｄ）は右側面図である。図１において、Ｉ型接続端子部１００は、相互に接続しようとする複数の受雷部の一端の略コ字状断面内に挿入されて該受雷部の一端と接続固定される継手部１０１と、導線を圧着固定する導線取付部１０３と、継手部１０１と導線取付部１０３とを接続する接続部１０５とを備えたものである。
【００２０】
継手部１０１には、ボルトとナットよりなるネジ部材２００（図５で示す）を挿入可能なネジ穴１０２が２箇所設けられている。また、導線取付部１０３には、その中央部に導線を取り付けるための取付溝１０４が設けられている。また、接続部１０５には、本件出願人である大阪避雷針工業株式会社の登録商標「ＯＨＫ」の文字１０６が浮き字により表示されている。
なお、ネジ部材２００は、Ｍ８化粧ナット（ワッシャ付き）とスプリングワッシャとＭ８六角ボルト（ワッシャ付き）とよりなるものである。
【００２１】
また、図１（ｅ）はテーパナット１０７の正面図、図１（ｆ）は右側面図である。図において、テ−パナット１０７は、導線取付部１０３を被覆保護するとともに、ヘッド１０８を回転させることにより導線取付部１０３の外側を圧着し、導線を導線取付部１０３に取り付けるものである。なお、ヘッド１０８は六角形状である。
【００２２】
図２は、Ｔ型接続端子部を示す図である。図２（ａ）はＴ型接続端子部の平面図、図２（ｂ）は右側面図、図２（ｃ）は正面図である。図において、Ｔ型接続端子部１１０は、２つの継手部１０１と導線取付部１０３と接続部１０５とを備えたものである。
【００２３】
図３は、十字型接続端子部を示す図である。図において、十字型接続端子部１２０は、２つの継手部１０１と２つの導線取付部１０３と接続部１０５とを備えたものである。
【００２４】
また、上記各接続端子部１００、１１０、１２０、及びネジ部材２００はアルミニウム材の表面をアルマイト加工されてなるものである。
【００２５】
また、本実施の形態で使用する受雷部について図４に示した。図４（ａ）は平面図、図４（ｂ）は正面図、図４（ｃ）は底面図、図４（ｄ）は側面図を示したものである。
【００２６】
図４において、受雷部４００はアルミニウム材の表面をアルマイト加工されてなり、図４（ｄ）に示すようなリップ溝形状断面（取付口）４００ｂを有する長尺状のものであり、その両端部にはネジ穴４００ａが２個ずつ設けられている。また、該受雷部４００の大きさは、横幅が２０ｍｍ、長さが５ｍ、高さが９．８ｍｍ、断面積が１００ｍｍ２、または、横幅が２０ｍｍ、長さが５ｍ、高さが８．３ｍｍ、断面積が７０ｍｍ２のものを使用するものとする。
【００２７】
以下に示した構成部材を用いた伸縮端子について図５〜図７を用いて説明する。
まず、２つのＩ型接続端子部１００を用いた伸縮二端子について図５を用いて説明する。なお、図５（ａ）は伸縮二端子の平面図、図５（ｂ）は正面図、図５（ｃ）は側面図を示したものである。
【００２８】
図５の伸縮二端子は、各Ｉ型接続端子部１００の継手部１０１に、ネジ部材２００を用いてアルミ受雷部４００を取り付け、一方のＩ型接続端子部１００の導線取付部１０３の取付溝１０４にアルミ導線３００の一端を挿入して、テ−パナット１０７を用いて圧着固定するとともに、他方のＩ型接続端子部１００の導線取付部１０３の取付溝１０４に上記アルミ導線３００の他端を挿入してテーパナット１０７を用いて圧着固定したものである。
【００２９】
このように、図５に示す伸縮二端子は、複数のアルミ受雷部４００が一直線上に接続されている部分に用いられ、該複数のアルミ受雷部４００の気温変化による伸縮を吸収することができる。
【００３０】
なお、アルミ導線３００は、２ｍｍの太さの複数の導線（受雷部の断面積が１００ｍｍ２の場合は３２本、７０ｍｍ２の場合は２３本）を束ねてなるものである。このアルミ導線３００は、従来使用していた編組アルミ線３よりも丈夫で破損しにくいため、従来のようにカラスに食べられてしまうことにより取り替えなければならないという手間を大幅に少なくすることができる。
【００３１】
次に、Ｉ型接続端子部１００とＴ型接続端子部１１０とを用いた伸縮二端子について図６を用いて説明する。なお、図６（ａ）は伸縮二端子の平面図、図６（ｂ）は正面図を示したものである。
【００３２】
図６の伸縮二端子は、Ｉ型接続端子部１００、及びＴ型接続端子部１１０の各継手部１０１に、ネジ部材２００を用いてアルミ受雷部４００を取り付け、また、Ｉ型接続端子部１００の導線取付部１０３の取付溝１０４にアルミ導線３００の一端を挿入し、テーパナット１０７を用いて圧着固定するとともに、該アルミ導線３００の他端をＴ型接続端子部１１０の導線取付部１０３の取付溝１０４に挿入し、テーパナット１０７を用いて圧着固定したものである。
このように図６に示す伸縮二端子は、複数のアルミ受雷部４００をＴ字型に接続して該複数のアルミ受雷部４００の気温変化による伸縮を吸収することができる。
【００３３】
次に、２つＩ型接続端子部１００と十字型接続端子部１２０とを用いた伸縮四端子の一例を図７を用いて説明する。
図７の伸縮四端子は、２つのＩ型接続端子部１００、及び十字型接続端子部１２０の各継手部１０１に、ネジ部材２００を用いてアルミ受雷部４００を取り付け、また、Ｉ型接続端子部１００の導線取付部１０３、及び十字型接続端子部１２０の導線取付部１０３にアルミ導線３００を取り付けるとともに、上記十字型接続端子部１２０の別の導線取付部１０３、及び別のＩ型接続端子部１００の導線取付部１０３にアルミ導線３００を取り付けるようにしたものである。
このように図７に示す伸縮四端子は、複数のアルミ受雷部４００を十字型に接続して該複数のアルミ受雷部４００の気温変化による伸縮を吸収することができる。
【００３４】
なお、上記図５〜図７に示した伸縮端子において、上記アルミ導線３００は実長２８０ｍｍであり、５０ｍｍの余長を持つように各接続端子部間を接続するものである。これにより、伸縮端子は３５メートル間隔で取り付ければよい。
【００３５】
このような実施の形態１による伸縮端子では、その端部が相互に接続しようとするアルミ受雷部４００の一端のリップ溝形状断面内に挿入されて、該アルミ受雷部４００の一端と接続固定される継手部１０１と、アルミ導線３００を圧着固定する導線取付部１０３と、を有する接続端子部（Ｉ型接続端子部１００、Ｔ型接続端子部１１０、十字型接続端子部１２０）を備え、その接続端子部の間をアルミ導線３００で連結されてなるものとしたことより、従来のように止めネジを用いてアルミ導線を取り付けたり、該アルミ導線を取付た後に半田ロー付けを行ったりする必要がなくなり、現場で簡単に伸縮端子を取り付けることができ、作業者の手間を大幅に省くことができる。
【００３６】
【発明の効果】
以上のように、本発明の請求項１に記載の伸縮端子によれば、雷撃を受け止める、略コ字状断面を有する長尺状の複数の受雷部の間に設置され、該複数の受雷部の気温変化による伸縮を吸収する伸縮端子であって、該伸縮端子は、２つの接続端子部と、該接続端子部の間を導線で連結されてなるものであり、上記各接続端子部は、相互に接続しようとする上記受雷部の一端の略コ字状断面内に挿入されて該受雷部の一端と接続固定される継手部と、上記導線を圧着固定する導線取付部とを有するものであることより、従来のように止めネジを用いて導線を取り付けたり、導線を取付た後に半田ロー付けを行ったりする必要がなくなり、現場で簡単に伸縮端子を取り付けることができ、作業者の手間を大幅に省くことができる。
【００３７】
また、本発明の請求項２に記載の伸縮端子によれば、請求項１に記載の伸縮端子において、上記各接続端子部は、上記継手部を１つ有するＩ型接続端子部であることより、建造物の直線状において複数の受雷部の気温変化による伸縮を吸収することができる。
【００３８】
また、本発明の請求項３に記載の伸縮端子によれば、請求項１に記載の伸縮端子において、上記各接続端子部は、上記継手部を２つ有するＴ型接続端子部であることより、複数の受雷部の気温変化による伸縮を吸収することができる。
【００３９】
また、本発明の請求項４に記載の伸縮端子によれば、請求項１に記載の伸縮端子において、上記２つの接続端子部のうち、第１の接続端子部は、上記継手部を１つ有するＩ型接続端子部であり、第２の接続端子部は、上記継手部を２つ有するＴ型接続端子部であることより、複数の受雷部の気温変化による伸縮を吸収することができる。
【００４０】
また、本発明の請求項５に記載の伸縮端子によれば、雷撃を受け止める、略コ字状断面を有する長尺状の複数の受雷部の間に設置され、該複数の受雷部の気温変化による伸縮を吸収する伸縮端子であって、該伸縮端子は、３つの接続端子部と、該接続端子部の間を導線で連結されてなるものであり、上記各接続端子部は、相互に接続しようとする上記受雷部の一端の略コ字状断面内に挿入されて該受雷部の一端と接続固定される複数の継手部と、上記導線を圧着固定する導線取付部とを有するものであることより、従来のように止めネジを用いて導線を取り付けたり、導線を取付た後に半田ロー付けを行ったりする必要がなくなり、現場で簡単に伸縮端子を取り付けることができ、作業者の手間を大幅に省くことができる。
【００４１】
また、本発明の請求項６に記載の伸縮端子によれば、請求項５に記載の伸縮端子において、上記３つの接続端子部のうち、第１の接続端子部は、上記継手部を４つ有する十字型接続端子部であり、第２及び第３の接続端子部は、上記継手部を１つ有するＩ型接続端子部、または上記継手部を２つ有するＴ型接続端子部、のいずれかであるようにしたので、複数の受雷部の気温変化による伸縮を吸収することができる。
【００４２】
また、本発明の請求項７に記載の伸縮端子によれば、請求項１ないし請求項６に記載の伸縮端子において、該伸縮端子部は、アルミニウム材の表面をアルマイト加工されてなるものであるので、伸縮端子の耐食性、及び表面の剛性を大きく向上させることができる。
【図面の簡単な説明】
【図１】本発明の伸縮端子を構成するＩ型接続端子部を示す図である。
【図２】本発明の伸縮端子を構成するＴ型接続端子部を示す図である。
【図３】本発明の伸縮端子を構成する十字型接続端子部を示す図である。
【図４】アルミ受雷部を示す図である。
【図５】本発明の伸縮二端子の一例を示す図である。
【図６】本発明の伸縮二端子の一例を示す図である。
【図７】本発明の伸縮四端子の一例を示す図である。
【図８】従来の伸縮二端子を用いた場合の施工図である。
【図９】従来の伸縮三端子を示す図である。
【符号の説明】
１ａ  第１の接続端子部
１ｂ  第２の接続端子部
１ｃ  止めネジ
１ｄ  第３の接続端子部
２  ネジ部材
２ａ  ナット
２ｂ  ボルト
２ｃ  スプリングワッシャ
３  編組アルミ線
４  アルミ導帯
１００  Ｉ型接続端子部
１０１  継手部
１０２  ネジ穴
１０３  導線取付部
１０４  取付溝
１０５  接続部
１０６  浮文字
１０７  テーパナット
１０８  ヘッド
１０９  取付溝
１１０  Ｔ型接続端子部
１２０  十字型接続端子部
２００  ネジ部材
３００  アルミ導線
４００  アルミ受雷部
４００ａ  ネジ穴
４００ｂ  取付口
【図１】
2004265791.tif 000003
【図２】
2004265791.tif 000004
【図３】
2004265791.tif 000005
【図４】
2004265791.tif 000006
【図５】
2004265791.tif 000007
【図６】
2004265791.tif 000008
【図７】
2004265791.tif 000009
【図８】
2004265791.tif 000010
【図９】
2004265791.tif 000011